(57)【要約】【課題】本考案は、買い物籠を載せて自分で車いすを操作しながら自由に買物をするため、脱着が簡単で手軽に使用でき複数の座幅に対応可能な車いす用補助テーブルを提供する。【解決手段】本考案は、テーブル板２１と車いすに取付ける支持ロッド２２、その固定金具の単純な構成であり、軽量化を考慮して１本の棒材を曲げ加工し各々機能する部分に成形した支持ロッド２２は最端部の上向きに直角に曲げた部分を、車いすの肘掛け１１に引っ掛けるように取付ける事が出来ることで脱着が簡単な補助テーブルを実現する。金具による支持ロッド２２のテーブル板２１への固定を左右各１か所として固定位置から支持ロッド２２の後端までを長くすることにより、弾性の範囲内で左右に大きく広げたり狭めたりできる様になり複数の座幅に対応可能となる。【選択図】図１
0003215407.tif 000002
【実用新案登録請求の範囲】
【請求項１】
車いすに取付けて使用する補助テーブルにおいて、テーブルを車いすに設置するための支持ロッドが、軽量化を考慮して１本の棒材を曲げ加工して成形したものであることを特徴とする補助テーブル。
【請求項２】
前記補助テーブルにおいて、支持ロッドの加工形状により、テーブル板を肘掛けの位置より前方で且つ低く位置させることで、車いすの操作スペースが確保されつつ、買い物籠の中が覗き易いことが特徴の補助テーブル。
【請求項３】
前記補助テーブルにおいて、支持ロッドの最端部で肘掛け下を通り車いす側面に出たところから上方に直角に曲げることにより、肘掛けに引っ掛ける形でセットする状態になり、脱着が簡単な事を特徴とする補助テーブル。
【請求項４】
前記補助テーブルにおいて、テーブル板から伸びる左右の支持ロッドの金具による固定位置をテーブルの極力前方にして、その固定部から棒端までの長さを長くすることにより弾性変形の範囲内でのロッドの左右の振れ幅を大きくすることにより、複数の座幅に適用可能であることが特徴の補助テーブル。
【考案の詳細な説明】
【技術分野】
【０００１】  本考案は、車いす利用者が自分で車いすを操作しながら買い物をする場合の買い物籠を置く事を主目的とした車いす用補助テーブルに関する。
【背景技術】
【０００２】  車いす利用者自身が車いすを操作しながら買い物をする場合には、車いす専用のショッピングカートを車いす前部に接続して買い物をする方法があり、量販店等では時々見かけるものであるが、接続することにより全体のサイズが長くなり、狭い所では使えなかったり、他の買い物客に気兼ねしながらの使用になるなど、使い勝手が良いとは必ずしも言えない。したがって、他の客に気兼ねなく、狭い所でも自由に動き回るためには、車いす内に買い物籠を置く場所と、操作に支障のないスペースが必要と考えるが、前述以外の方法で車いす利用者自身が買い物籠を載せて手軽に自由に買い物をしている姿を見ることはほとんどないのが現状であり、車いす利用者自身が車いす内に手軽に設置できる補助テーブル装置がないことに起因しているものと考える。【０００３】  利用者自身が操作する車いす内での買い物籠を置く場所については、手の届く範囲で肘掛けの位置か肘掛けの前方となるが、肘掛けの位置では車いすの操作スペースが狭くなる事から、肘掛けの高さで肘掛けの前方に買い物籠を置く台やテーフルを設置するものが考案されている。（特許文献１）【０００４】  また、買い物籠を載せるための台座を利用者自身の大腿部に置く方法（特許文献２）や買い物籠を置く籠ホルダーを膝の前方に吊るす方法（特許文献３）が考案されている。【０００５】  台などを車いす前方に取付ける方法については、特許文献３記載の接続ベルトを使用して車いす本体と繋ぐ方法のほかに、特許文献１記載の買い物籠を載せる折り畳み可能な台を折り畳み状態から展開することにより片持ち梁先端のコ型の部分が肘掛けに嵌り込んで肘掛け前方に台が突き出た状態で固定される方法が提案されている。【０００６】  また、同じように肘掛けの前方にテーブルを突き出し片持ち梁で支える方法として、肘掛けの後方で下から金具の当たりをあてがって片持ち梁端部の浮き上がりを止め、肘掛け前方は上から金具の当たりをあてがってテーブル荷重を支える方法が考案されている。（特許文献４）
【先行技術文献】
【特許文献】
【０００７】
【特許文献１】実用新案登録第３１２５３９５号広報
【特許文献２】特開平９−１５４８９０号広報
【特許文献３】特開平９−１０８２７２号広報
【特許文献４】実用新案登録第３１２６１６９号広報
【考案の概要】
【考案が解決しようとする課題】
【０００８】  しかしながら、特許文献１記載の方法では、台を構成する部品数及びヒンジ部分が多く複雑な事から強度耐久性を考えた場合、重量が重くなる可能性が大きい。【０００９】  特許文献２記載の方法では、車いすに取付けるのではなく、車いす利用者の膝上の台に買い物籠を載せて車いすを操作することになり、台自体が不安定である。【００１０】  特許文献３記載の方法では、籠ホルダーを車いすに接続するベルトの取付けは車いす利用者以外の者により行うことが前提となる。【００１１】  特許文献４では、買い物籠を置く高さが、肘掛けの高さ又は肘掛けの高さ以上となり買い物籠の中が覗きづらくなる可能性が大で、強度耐久性を考えた場合、重くなる可能性もあり、更に車いすの適用サイズについて、複数の座幅に対応していない。【００１２】  介護者の手を借りずに、車いすに買い物籠を載せて自分で車いすを操作しながら自由に買物をするためには、構造が単純で軽く耐久性があり簡単に脱着出来る補助テーブルと、そのテーブルに置いた買い物籠の中が覗きやすいこと、そして車いす内に操作し易いスペースがある事、さらに手軽さを考慮した時、複数の座幅への対応も必要である。
【課題を解決するための手段】
【００１３】  本考案の車いすに取付けて使用する補助テーブルは、テーブル板と支持ロッドと支持ロッドをテーブル板に固定する金具の単純な構成により全体を軽くする事ができる。そのテーブル板を車いすに設置するための支持ロッドは、１本の棒材を曲げ加工により成形して、各部に機能を持たせるもので、その機能によりテーブル板を肘掛けより低くく肘掛けより前方にして、車いす内の操作スペースを確保すると共に、買い物籠の中を覗き易くする。また、支持ロッドの最端部を上方に直角に曲げることで、肘掛けに引っ掛ける形で補助テーブルをセットすることが出来て、テーブルに荷重がかかると簡単には外れない。金具による支持ロッドの固定位置をテーブルの前方にして、その固定部から棒端までの長さを長くすることにより、弾性変形の範囲内でのロッドの左右への振れ幅が大きくなり、複数の座幅への対応が可能となる等前述の問題を解決するものである。
【考案の効果】
【００１４】  車いす利用者自身が左右の支持ロッドを両手で持ち、支持ロッドの間隔を座幅よりも狭くして、前方から後方に傾ける状態で車いすの肘掛けの内側に差し込みテーブル板を下げるだけの設置方法で、車いす利用者の買い物がより気軽に出来るようになる。
【図面の簡単な説明】
【００１５】
【図１】本考案の車いすへの取付け実施状況図
【図２】本考案の分解図
【図３】車いすの肘掛けに取付けた状態での詳細図
【図４】複数の座幅に対応した時の状態図
【図５】車いすの設置方法図
【図６】テーブル板の設置高さによる買い物籠の中の見え方の比較図
【考案を実施するための形態】
【００１６】  本考案は、テーブル板と車いすに取付けるための支持ロッド及び、その固定金具のみの極めて単純な構成となっている。１本の棒材から成る支持ロッドは、曲げ加工による成形で多くの機能を持たせる事により、軽くて脱着が簡単で、置いた買い物籠の中が良く覗け、車いすの操作スペースも確保して更には、車いすの適用サイズについて複数の座幅に対応可能となる事で、介護者の手を借りずに、自分でテーブルをセットし、買い物籠を載せて自分で車いすを操作しながら買い物ができる。つまり、車いす利用者本人の手軽で自由な買い物を実現することが出来るものである。支持ロッドの曲げ加工による成形では、棒材の中央部分で買い物籠ストッパー部を形成し、そこから左右にテーブル板設置部、テーブル板荷重保持部、支持ロッド外れ止め部と各々機能する部分が作られる。この支持ロッド外れ止め部の棒材の最端部に、上向きに直角に曲がった部分があり、車いすにテーブルを設置する時は、この部分を車いすの肘掛けに引っ掛けるように取付ける事になる。支持ロッド全体は、１本の棒材を加工成形したものなので、金具によるテーブルへの固定は、左右それぞれ１か所で良く、固定位置をテーブルの極力前方にして、固定位置から支持ロッドの後端までを長くすることにより、支持ロッドの弾性の範囲内で左右に大きく広げたり狭めたりすることが容易に出来るようになっている。支持ロッド外れ止め部の最端部の形状により肘掛けに引っ掛けるように取付けることが出来、弾性変形の範囲内で左右の支持ロッドを広げたり狭めたりすることが出来ることで、本考案の脱着が簡単で、更に複数の座幅にも対応が可能なものを実現している。以下、本考案の実施例を添付図面に従って説明する。
【実施例】
【００１７】  図１は、車いすに本考案を設置した状態を示したものである。本考案の主な部品はテーブル板２１、支持ロッド２２及び支持ロッドの固定金具のみの非常に簡素な構成になっているのだが、その設置方法も車いすの肘掛け１１とパイプフレーム１２に引っ掛けるようにセットするもので、車いす利用者自身で十分に対応できるものである。【００１８】  図２は、本考案の分解図である。テーブル板２１、支持ロッド２２、支持ロッド固定用上部金具２３、支持ロッド固定用下部金具２４、ボルト２５、ナット２６からなっており、支持ロッド２２には、曲げ加工による成形で複数の機能を持たせている。【００１９】  図３は、車いすの肘掛け１１に、本考案を取付けた状態での詳細図である。テーブル板２１、支持ロッド２２、支持ロッド固定用上部金具２３、支持ロッド固定用下部金具２４、ボルト２５、ナット２６の部品構成で、１本の棒材から作られる支持ロッド２２は、買い物籠ストッパー部２２ａを中央にして各々の棒端に向かってそれぞれ役目を持った曲げ加工が施される。まず、テーブル板２１の半分程度の幅寸法に加工された買い物籠ストッパー部２２ａから斜め後方に曲げられた棒材は、左右でほぼ車いすの座幅に収まる幅になった所で真直ぐ後方に曲げられる。この形状は、テーブル板２１を安定して固定しかつ、棒材の量を極力少なくして軽量化を図った事によるものである。真直ぐ後方に曲げられた棒材はテーブル板２１の奥行分を確保してテーブル板設置部２２ｂとなる。そこから３０度程度の角度で上方に曲げられるのであるが、この角度及び長さにより、テーブル板２１が車いすの肘掛け１１よりどの程度前方に下がるかが決まってくる。角度、長さが決まり肘掛け１１に届いた所で棒材は、肘掛け１１の外側に向かってＵ字型に曲げられテーブル板荷重保持部２２ｃとなり肘掛け１１の上に乗っかってテーブル板２１上の買い物籠の荷重を受ける場所となる。棒材はＵ字型に曲げられたので、再度肘掛け１１の内側まで戻ってきたところで直角に曲げられ、肘掛け１１の内側に沿って後方斜め下向きに曲げられた後、肘掛け１１を固定する車椅子のパイプフレーム１２の下を通り車いすの側面に出るように直角に曲げられ、肘掛け１１の外側に出たところで更に棒材最端部が真上に向かって直角に曲げられ、支持ロッド外れ止め部２２ｄとなる。肘掛け１１及びパイプフレーム１２を真正面から見た時、支持ロッド２２は、肘掛け１１とパイプフレーム１２を完全にくるむ状態になっており、これにより支持ロッド２２は簡単に外れることはない。また、テーブル板２１から伸びる左右の支持ロッド２２は、その固定部から棒端までの長さを極力長くすることにより弾性変形の範囲内でロッドの左右への振れ幅を大きくして、複数の座幅に対応が可能となる。【００２０】  図４は、複数の座幅に対応させた時の状態図である。（ａ）は標準的な座幅Ｗｍの車いすに合わせて製作された本考案の設置状況である。テーブル板２１に固定金具２箇所で固定された支持ロッド２２には特に変形は見られない。（ｂ）は（ａ）より狭い座幅Ｗｓの車いすに本考案を設置した状況である。支持ロッド２２は肘掛け１１により内側（Ｌｉ１、Ｌｉ２）方向に押され、テーブル板２１が乗ってい���部分の支持ロッド２２は、弾性変形の範囲内で内側に曲がった状態になる。この状態では、支持ロッド２２の最端部は、更に内側に向かおうとするが、上向きに直角に曲げられた端部が肘掛け１１の外側に引っかかる状態となり座幅Ｗｍより小さい座幅Ｗｓの車いすでも設置可能となるものである。（ｃ）は（ａ）より広い座幅Ｗｌの車いすに本考案を設置した状況である。テーブル板２１から突き出た支持ロッド２２を各々外側（Ｌｏ１、Ｌｏ２）方向に弾性変形の範囲内で広げて肘掛け１１の外側部分に支持ロッド２２の上向きに垂直に曲がった最端部を引っかける状態にして、テーブル板荷重保持部２２ｃを肘掛け１１の上に乗せることで設置するものである。【００２１】  図５は、車いすの設置方法図である。広げたり又は、すぼめるなどして、左右の肘掛け１１の間に入れた支持ロッド２２の上向きに直角に曲げられた端部をパイプフレーム１２の下を通って肘掛け１１の外側に引っかける状態にして本考案本体を設置するものである。【００２２】  図６は、テーブル板の設置高さによる買い物籠の中の見え方の比較図である。（ａ）は、テーブル板が肘掛け１１の上に乗った場合。（ｂ）は、テーブル又は、載置具が肘掛け１１と同じ高さの場合。（ｃ）は、本考案の場合。（ｄ）は、本考案のテーブル板荷重保持部２２ｃよりテーブル板２１を載せている部分に至る支持ロッド２２の傾斜角を大きくした場合の見え方であるが、この場合には、テーブル板が膝に当たる可能性が有る為、あらかじめクッション用マット２７をテーブル板２１の下面に付けておく必要がある。（ｅ）及び（ｆ）は本考案を肘掛け１１の前後どの位置にセットするかで見え方が変わってくることを示したものである。体に近い方にセットした方が買い物籠の中は覗き易いが、操作スペースが狭くなる。以上の事により、テーブル板の高さを肘掛け１１よりも低くすることで買い物籠の中がより覗き易くなるが、それは膝の高さまでが限度である為、更に覗き易くするためには、本考案の肘掛け１１への設置位置を操作スペースが確保できる範囲で身体に近づける事が必要であり、本考案ではそれが可能であることが分かる。
【符号の説明】
【００２３】１１    車いすの肘掛け
１２    車いすのパイプフレーム
２１    テーブル板
２２    支持ロッド
２２ａ  買い物籠ストッパー部
２２ｂ  テーブル板設置部
２２ｃ  テーブル板荷重保持部
２２ｄ  支持ロッド外れ止め部
２３    支持ロッド固定用上部金具
２４    支持ロッド固定用下部金具
２５    ボルト
２６    ナット
２７    クッション用マット
３１    買い物籠
【図１】
0003215407.tif 000003
【図２】
0003215407.tif 000004
【図３】
0003215407.tif 000005
【図４】
0003215407.tif 000006
【図５】
0003215407.tif 000007
【図６】
0003215407.tif 000008
【手続補正書】
【提出日】平成30年1月9日(2018.1.9)
【手続補正１】
【補正対象書類名】実用新案登録請求の範囲
【補正対象項目名】全文
【補正方法】変更
【補正の内容】
【実用新案登録請求の範囲】
【請求項１】
車いすの肘掛け前方、肘掛けの高さより低い位置のテーブル板の下面から車いすの座幅の間隔で後方に向けて水平に突き出た２本のロッドは、すぐに３０度程度の角度で上方に曲げられ、両肘掛けの内側から肘掛け上面の高さに達した所で肘掛け及び肘掛けを固定するパイプフレームに巻き付くような曲げ加工が施され、これにより補助テーブル全体を支える事になるのだが、テーブル板下面の２本のロッドは、テーブル板の前方に向かっては、座幅の間隔から徐々に半分程度の幅にすぼまり、途中金具によりテーブル板に各々１カ所固定された後、テーブル板から前面に突き出たところで垂直、水平方向に曲げ加工され、買い物籠ストッパーを形作った所で最終的につながっており、これが支持ロッドとなるもので、車いすに取付けて使用する補助テーブルにおいて、テーブル板を車いすに設置するための支持ロッドが、軽量化と簡素化を考慮して１本の棒材の複数個所を曲げ加工により成形し、それぞれに機能を持たせたものであることを特徴とする補助テーブル。
【請求項２】
車いすに取付けて使用する補助テーブルにおいて、支持ロッドの加工形状により、テーブル板を肘掛けの位置より前方で且つ低く位置させることで、車いすの操作スペースが確保されつつ、買い物籠の中が覗き易いことを特徴とする請求項１記載の補助テーブル。
【請求項３】
車いすに取付けて使用する補助テーブルにおいて、支持ロッドの最後端部で肘掛け及びパイプフレームの下を通り車いす側面に出たところから上方に直角に曲げることにより、肘掛けに引っ掛ける形でセットする状態になり、脱着が簡単な事を特徴とする請求項１記載の補助テーブル。
【請求項４】
車椅子に取付けて使用する補助テーブルにおいて、テーブル板から伸びる左右の支持ロッドの金具による固定位置をテーブルの極力前方にして、その固定部から棒端までの長さを長くすることにより弾性変形の範囲内でのロッドの左右の振れ幅を大きくすることにより、複数の座幅に適用可能であることを特徴とする請求項１記載の補助テーブル。